(57)【要約】【課題】比較的安価な構成で、使用者が移動体通信装置の動作状態を制御し忘れることによる不適切な動作状態を回避すること。【解決手段】動作状態判断部１０４は、短距離無線通信部１０２から送信される動作状態情報と自装置の識別符号とから、公共無線通信部１０１の取るべき動作状態を判断する。無線通信制御部１０５は、判断結果に応じて、公共無線通信部１０１を制御する。具体的には、判断結果が送受信停止の場合、無線通信制御部１０５は、公共無線通信部１０１の送受信機能を停止させる。また、判断結果がマナーモード設定の場合、公共無線通信基地局２００との送受信を行いながら、公共無線通信部１０１をマナーモードに設定する。【選択図】図２
2007174241.tif 000002
【特許請求の範囲】
【請求項１】
公共無線通信網と送受信を行う公共無線通信手段と、
各移動体通信装置の識別符号に対応する動作状態情報を前記公共無線通信網とは別の短距離無線通信網から受信する短距離無線通信手段と、
前記短距離無線通信手段で受信した動作状態情報のうち自装置の識別符号に対応する動作状態情報を抽出することで、前記公共無線通信手段が取るべき動作状態を判断する動作状態判断手段と、
前記動作状態判断手段により判断された動作状態に応じて前記公共無線通信手段の動作状態を制御する無線通信制御手段と、
を具備する移動体通信装置。
【請求項２】
前記動作状態判断手段は、
判断した動作状態を振動または呼動させることにより使用者へ通知し、
前記無線通信制御手段は、使用者から許可があった場合に前記公共無線通信手段の動作状態を制御する請求項１記載の移動体通信装置。
【請求項３】
前記無線通信制御手段は、
振動または呼動させることにより前記動作状態判断手段により前記公共無線通信手段の動作状態が移行された旨を使用者へ通知する請求項１記載の移動体通信装置。
【請求項４】
前記動作状態判断手段は、
前記公共無線通信手段の動作状態を一時的に移行させる移行時間を判断し、
前記無線通信制御手段は、
前記移行時間の期間だけ前記動作状態判断手段により判断された動作状態へ前記公共無線通信手段の動作状態を移行させる請求項１記載の移動体通信装置。
【請求項５】
前記動作状態判断手段は、
前記短距離無線通信手段が短距離無線通信網から送信される信号を受信する繰り返し周期時間を判断し、
前記無線通信制御手段は、
前記繰り返し周期時間に応じて、前記短距離無線通信手段の動作状態を移行する請求項１記載の移動体通信装置。
【請求項６】
公共無線通信網と送受信を行う工程と、
各移動体通信装置の識別符号に対応する動作状態情報を前記公共無線通信網とは別の短距離無線通信網から受信する工程と、
前記短距離無線通信手段で受信した動作状態情報のうち自装置の識別符号に対応する動作状態情報を抽出することで、前記公共無線通信手段が取るべき動作状態を判断する工程と、
前記動作状態判断手段により判断された動作状態に応じて前記公共無線通信手段の動作状態を制御する工程と、
を有する移動体通信制御方法。
【請求項７】
公共無線通信網に比して比較的狭い範囲をカバーする短距離無線通信網用の短距離通信装置であって、
前記短距離無線通信装置がカバーする領域内に位置する移動体通信装置を識別するために割り当てられた識別符号と、前記移動体通信装置の動作状態とを対応付けた動作状態情報を前記移動体通信装置へ送信する送信手段と、
を具備する短距離通信装置。
【請求項８】
公共無線通信網に比して比較的狭い範囲をカバーする短距離無線通信網用の短距離通信装置と、前記公共無線通信網と送受信を行いながら、前記短距離通信装置から送信される信号を受信する移動体通信装置と、を備える移動体通信システムであって、
前記短距離通信装置は、
前記移動体通信装置を識別するために割り当てられた識別符号と、前記移動体通信装置の動作状態とを対応付けた動作状態情報を前記移動体通信装置へ送信する送信手段、を具備し、
前記移動体通信装置は、
前記動作状態情報のうち自装置の識別符号に対応する動作状態情報を抽出することで、前記公共無線通信手段が取るべき動作状態を判断する動作状態判断手段と、
前記動作状態判断手段により判断された動作状態に応じて前記公共無線通信手段の動作状態を制御する無線通信制御手段と、
を具備する移動体通信システム。
【発明の詳細な説明】
【技術分野】
【０００１】
本発明は、移動体通信装置、移動体通信制御方法、短距離通信装置および移動体通信システムに関し、特に、携帯電話などの移動体通信装置の動作状態を制御する移動体通信装置、移動体通信制御方法、短距離通信装置および移動体通信システムに関するものである。
【背景技術】
【０００２】
近年、移動体通信装置、特に携帯電話は、いつでもどこででも他者との通話を可能とすることを特徴とし、その利便性から急速に普及し、その使用場所も拡大が図られている。しかしながら、使用場所が拡大していく上でいくつかの問題も発生している。例えば、自動車運転中での携帯電話使用による交通事故の多発や、医療機関、飛行機などでの使用による電波障害や、映画館、電車などの公共の場においての携帯電話使用による周囲の人々への迷惑などという問題がある。これらの場所や状況においては、携帯電話の電源の切断やマナーモードの設定が求められている。
【０００３】
ところが、これらの操作はユーザが手動で行う必要があり、これらの操作が行われるか否かは、その携帯電話の使用者の意識に任せるしかないというのが現状であり、また意識の高い使用者においても使用者自身が電源の切断やマナーモードの設定を忘れるということが多々ある。
【０００４】
このような問題を解決する一つの方法として、特許文献１には、非接触型ＩＣカード機能を備えた携帯電話が特定の入場ゲートを通過する際に、その携帯電話の状態を制御する技術が開示されている。
【特許文献１】特開２００３−６９６７０号公報
【発明の開示】
【発明が解決しようとする課題】
【０００５】
しかしながら、上述した制御技術においては、非接触型ＩＣカードと言う近距離通信システムを利用して携帯電話の動作状態を制御するため、一度に複数の携帯電話を制御することが不可能であり、また、同時に多数の携帯電話の動作状態を個別に制御するためには多数の制御局を設ける必要がありコストが大きくなるという課題がある。
【０００６】
本発明はかかる点に鑑みてなされたものであり、比較的簡易な構成で、使用者が移動体通信装置の動作状態を制御し忘れることによる不適切な動作状態を回避することができる移動体通信装置、移動体通信制御方法、短距離通信装置および移動体通信システムを提供することを目的とする。
【課題を解決するための手段】
【０００７】
本発明に係る移動体通信装置は、公共無線通信網と送受信を行う公共無線通信手段と、各移動体通信装置の識別符号に対応する動作状態情報を前記公共無線通信網とは別の短距離無線通信網から受信する短距離無線通信手段と、前記短距離無線通信手段で受信した動作状態情報のうち自装置の識別符号に対応する動作状態情報を抽出することで、前記公共無線通信手段が取るべき動作状態を判断する動作状態判断手段と、前記動作状態判断手段により判断された動作状態に応じて前記公共無線通信手段の動作状態を制御する無線通信制御手段と、を具備する構成を採る。
【０００８】
この構成によれば、例えば、病院や駅の改札、コンサートホール、空港の搭乗口など特定のエリアに短距離通信装置を設定した場合に、短距離無線通信網から送信される動作状態情報と自装置を識別するための識別符号とを用いて、公共無線通信手段の動作状態を自動的に変更するようにしたので、携帯電話に代表される移動体通信装置の使用者が意識することなく、公共無線通信網との動作状態を移動体通信装置ごとに適切な状態へ移行することができ、使用者が移動体通信装置の動作状態を制御し忘れることによる不適切な動作状態を回避することができる。
【発明の効果】
【０００９】
本発明によれば、比較的簡易な構成で、使用者が移動体通信装置の動作状態を制御し忘れることによる不適切な動作状態を回避することができる。
【発明を実施するための最良の形態】
【００１０】
以下、本発明の実施の形態について、図面を参照して詳細に説明する。
【００１１】
（実施の形態１）
図１は、本発明の実施の形態１に係る移動体通信システムの構成の一例を示す図である。同図に示すように、公共無線通信基地局装置２００がカバーする２００ａの領域および短距離通信装置３００がカバーする３００ａの領域に位置する移動体通信装置１００は、公共無線通信基地局装置２００および短距離通信装置３００双方から送信される信号を受信している。なお、公共無線通信基地局装置２００は、公共無線通信網の基地局装置で、短距離通信装置３００は、短距離無線通信網の送信局である。短距離通信装置３００は、短距離通信装置３００がカバーする領域３００ａ内に位置する移動体通信装置の動作状態の制限に関する情報データ（以下「動作状態情報」という）を領域３００ａ内に位置するすべての移動体通信装置へ送信している。動作状態情報の具体的な内容については、後述する。
【００１２】
図２に、本発明の実施の形態１に係る移動体通信装置１００の要部構成を示す。図２に示す移動体通信装置１００は、公共無線通信部１０１、短距離無線通信部１０２、識別符号記憶部１０３、動作状態判断部１０４、および無線通信制御部１０５を備えている。
【００１３】
公共無線通信部１０１は、公共無線通信網と通信を行うための第１の無線通信部であり、アンテナを介して公共無線通信網の基地局装置（例えば公共無線通信基地局装置２００）と送受信する。
【００１４】
短距離無線通信部１０２は、公共無線通信網とは異なる通信網の基地局装置から送信される電波信号を受信するための第２の無線通信部で、アンテナを介して短距離通信装置３００から送信される動作状態情報を含む信号を受信し、動作状態情報を動作状態判断部１０４へ出力する。例えば、短距離通信装置３００がコンサートホール内に設置されコンサート中の場合、短距離通信装置３００は、送受信停止もしくはマナーモード設定等の具体的な動作状態の制限に関する動作状態情報を、領域３００ａ内のすべての移動体通信装置へ送信している。個々の移動体通信装置は、動作状態情報から自装置の識別番号に対応した動作状態を抽出することで、自装置が取るべき動作状態を判断する。
【００１５】
識別符号記憶部１０３は、自装置を他の移動体通信装置と識別するために個別に割り当てられた識別符号を記憶する。識別符号は、動作状態判断部１０４で自装置の公共無線通信部１０１の動作状態を判断するのに用いられる。
【００１６】
動作状態判断部１０４は、短距離無線通信部１０２から送信される動作状態情報と自装置の識別符号とから、公共無線通信部１０１の取るべき動作状態を判断する。具体的には、動作状態情報に自装置の識別符号に対する動作状態として送受信停止が対応付けられていた場合、動作状態判断部１０４は、公共無線通信部１０１の送受信を停止すると判断する。すなわち、動作状態判断部１０４は、動作状態情報に応じて、公共無線通信部１０１が取るべき動作状態、つまり、送受信停止、開始、もしくは継続、または、マナーモード設定、解除、もしくは継続等のいずれかであるか判断する。動作状態判断部１０４は、判断結果を無線通信制御部１０５へ出力する。なお、動作状態判断部１０４は、コンサートが終了した旨の情報が動作状態情報として短距離通信装置３００から送信された場合など、動作状態情報から特に公共無線通信部１０１の動作状態を制御する必要がないと判断した場合は、判断結果としてその旨（例えば、継続）を出力する。
【００１７】
無線通信制御部１０５は、動作状態判断部１０４における判断結果に応じて、公共無線通信部１０１を制御する。具体的には、判断結果が送受信停止の場合、無線通信制御部１０５は、公共無線通信部１０１の送受信機能を停止させる。また、判断結果がマナーモード設定の場合、公共無線通信基地局装置２００との送受信を行いながら、公共無線通信部１０１をマナーモードに設定する。また、判断結果が送受信開始の場合、無線通信制御部１０５は、公共無線通信部１０１と公共無線通信基地局装置２００との送受信を開始させる。また、判断結果がマナーモード解除の場合、公共無線通信部１０１のマナーモードを解除する。
【００１８】
図３に、本発明の実施の形態１に係る短距離通信装置３００の要部構成を示す。図３に示す短距離通信装置３００は、無線通信部３０１、動作状態設定部３０２、動作状態情報生成部３０３を備えている。
【００１９】
無線通信部３０１は、短距離通信装置３００がカバーする領域３００ａ内に位置するすべての移動体通信装置へ、移動体通信装置の動作状態の制限に関する情報（動作状態情報）を送信する。また、無線通信部３０１は、短距離通信装置３００が設置された領域３００ａ内または近傍に位置する他の制御局から送信される領域状況情報を受信し、領域状況情報を動作状態設定部３０２へ出力する。領域状況情報としては、例えば、領域３００ａ内でコンサートが行われている等の領域３００ａ内に位置する移動体通信装置の動作状態の制限を設ける際に必要となる情報等である。さらに、無線通信部３０１は、公共無線通信網または領域３００ａ内に位置する移動体通信装置から送信される移動体通信装置ごとに割り当てられた識別符号を受信し、識別符号を動作状態設定部３０２へ出力する。
【００２０】
動作状態設定部３０２は、移動体通信装置の動作状態の制限を、上述した領域状況情報に応じて移動体通信装置ごとに個別に設定し、設定した動作状態の制限に関する情報を動作状態情報生成部３０３へ出力する。例えば、短距離通信装置３００がコンサートホール内に設置されコンサート中の場合、動作状態設定部３０２は、公共無線通信網との送受信停止もしくはマナーモード設定を領域３００ａ内の移動体通信装置の動作状態の制限として設定する。
【００２１】
動作状態情報生成部３０３は、移動体通信装置ごとに設定された動作状態の制限に関する情報を、移動体通信装置を識別するための識別符号と、動作状態の制限を対応付けた動作状態情報を生成し、無線通信部３０１へ出力する。
【００２２】
以上のように、短距離通信装置３００からは、領域３００ａ内に位置する移動体通信装置が取るべき動作状態が移動体通信装置ごとに対応付けられた動作状態情報が領域３００ａ内に位置するすべての移動体通信装置へ送信される。
【００２３】
次いで、上記のように構成された移動体通信装置１００の動作について、図４のフロー図を参照しながら説明する。
【００２４】
短距離通信装置３００からは、領域３００ａ内に位置する移動体通信装置に対して動作状態情報が送信されている。上述したように、動作状態情報は、領域３００ａ内に位置する移動体通信装置が取るべき動作状態に関する情報である。
【００２５】
移動体通信装置１００の電源がＯＮとなっている状態で（ＳＴ１０）、短距離通信装置３００が送信する電波の到達エリア内（３００ａ）に位置すると、短距離無線通信部１０２によって短距離通信装置３００から送信される動作状態情報が含まれる信号が受信され（ＳＴ１１）、受信された動作状態情報は動作状態判断部１０４へ出力される。動作状態情報には、移動体通信装置の動作状態に対する要求、例えば、送受信の停止、開始又は継続を示す情報が、識別符号ごとに対応づけられている。
【００２６】
そして、動作状態判断部１０４によって、動作状態情報と識別符号記憶部１０３に記憶される識別符号とから、領域３００ａ内における公共無線通信部１０１の取るべき動作状態が判断される（ＳＴ１２）。上述したように、動作状態情報には移動体通信装置１００の識別番号と、移動体通信装置１００の公共無線通信部１０１が領域３００ａ内で要求される動作状態（送受信の停止、開始若しくは継続等）に関する情報が割り当てられており、動作状態判断部１０４によって、自装置の識別番号に対応する動作状態が動作状態情報から抽出され、抽出された動作状態は公共無線通信部１０１が取るべき動作状態と判断される。
【００２７】
そして、判断結果が停止、開始又は継続のいずれかであるかの判定がされ（ＳＴ１３）、停止の場合、無線通信制御部１０５によって公共無線通信部１０１は送受信停止またはマナーモードに設定される（ＳＴ１４）。一方、停止でない場合には、さらに、判断結果が開始又は継続のいずれかであるかの判定がされ（ＳＴ１５）、開始の場合、無線通信制御部１０５によって公共無線通信部１０１は送受信開始またはマナーモードが解除される（ＳＴ１６）。なお、判断結果が継続の場合は、現状の動作状態が維持される。
【００２８】
以上のように、本実施の形態によれば、移動体通信装置１００に、短距離無線通信部１０２と、短距離無線通信部１０２が受信した動作状態情報および自装置の識別符号に応じて、公共無線通信部１０１の動作状態、すなわち送受信の停止、開始、もしくは継続、または、マナーモード状態の設定、解除、もしくは継続の動作状態について判断する動作状態判断部１０４とを設け、動作状態判断部１０４の判断結果に基づいて公共無線通信部１０１の動作状態を、判断した動作状態へ切り替えるようにしたので、場所や状況に応じて、ある特定の移動体通信装置の動作状態を移動体通信装置ごとに制御することが可能となる。
【００２９】
また、短距離通信装置３００から移動体通信装置１００に、各移動体通信装置の識別番号とその識別番号の移動体通信装置が取るべき動作状態情報を対応付けて送信したことにより、例えば電話番号などのように自装置に個別に割り当てられた識別符号を用いて、移動体通信装置の動作状態を個別に制御することができるため、特定の領域に位置する移動体通信装置のうち、状態を変更させたくない移動体通信装置に対しては上述した制御を行わないようにすることが可能となる。
【００３０】
また、短距離通信を用いて各移動体通信装置の動作状態を制御するようにしたので、限定された特定の領域でのみ公共無線通信部１０１の動作状態を制御するための信号を発信することができ、上述したシステムを簡易に構築することが可能となる。
【００３１】
（実施の形態２）
本実施の形態２の移動体通信装置１００の構成は、無線通信制御部１０５の制御方法が異なることを除いて、上記実施の形態１で示した図２の移動体通信装置１００と同様である。
【００３２】
実施の形態の２の移動体通信装置１００の動作について、図５のフロー図を用いて説明する。なお、図４と共通のステップについては同一の符号を付している。
【００３３】
電源がＯＮとなっている状態で（ＳＴ１０）、移動体通信装置１００が、短距離通信装置３００が送信する電波の到達エリア内（３００ａ）に位置すると、短距離無線通信部１０２によって短距離通信装置３００から送信される動作状態情報を含む信号が受信され（ＳＴ１１）、受信された動作状態情報は動作状態判断部１０４へ出力される。動作状態情報には、移動体通信装置の動作状態に対する要求、例えば、送受信の停止、開始又は継続を示す情報が、識別符号ごとに対応づけられている。
【００３４】
そして、動作状態判断部１０４によって、動作状態情報と識別符号記憶部１０３に記憶される識別符号とから、領域３００ａ内における公共無線通信部１０１の動作状態が判断される（ＳＴ１２）。上述したように、動作状態情報には移動体通信装置１００の識別番号と、移動体通信装置１００の公共無線通信部１０１が領域３００ａ内で要求される動作状態（送受信の停止、開始若しくは継続）に関する情報が割り当てられていて、動作状態判断部１０４によって、自装置の識別番号に対応する動作状態が動作状態情報より取得される。
【００３５】
そして、動作状態が停止か否かの判定がされ（ＳＴ１３）、停止の場合、無線通信制御部１０５によって振動または鳴動させることで使用者にマナーモードへの設定を促すよう移動体通信装置１００が制御される（ＳＴ２１）。一方、停止でない場合には、さらに、動作状態が開始又は継続のいずれかであるかの判定がされ（ＳＴ１５）、開始の場合、無線通信制御部１０５によって振動または鳴動させることで利用者にマナーモードからの解除を促すよう移動体通信装置が制御される（ＳＴ２２）。一方、動作状態が継続の場合、現状のマナーモードの設定又は解除状態が維持される。
【００３６】
なお、上述したフロー図では、振動または鳴動させることでマナーモード設定または解除を使用者へ促すこととしたが、移動体通信装置１００が公共無線通信部１０１における送受信動作を使用者が切り替えることができる機能を有する場合には、振動または鳴動させることで使用者に公共無線通信部１０１の送受信動作の停止または開始を促すことにしても良い。
【００３７】
これにより、ある特定の移動体通信装置の動作状態の移行を使用者に促すことが可能となり、場所や状況に応じて、使用者の意識に関わらず、ある特定の移動体通信装置の動作状態を個々に制御することが可能となる。
【００３８】
（実施の形態３）
本実施の形態３の移動体通信装置１００の構成は、無線通信制御部１０５の制御方法が異なることを除いて、上記実施の形態１で示した図２の移動体通信装置１００と同様である。
【００３９】
実施の形態の３の移動体通信装置１００の動作について、図６のフロー図を用いて説明する。なお、図４と共通のステップについては同一の符号を付している。
【００４０】
移動体通信装置１００が移動体通信装置の電源がＯＮとなっている状態で（ＳＴ１０）、短距離通信装置３００が送信する電波の到達エリア内（３００ａ）に位置すると、短距離無線通信部１０２によって短距離通信装置３００から送信される動作状態情報が受信され（ＳＴ１１）、受信された動作状態情報は動作状態判断部１０４へ出力される。
【００４１】
そして、動作状態判断部１０４によって、動作状態情報と識別符号記憶部１０３に記憶される識別符号とから、公共無線通信部１０１の動作状態が判断される（ＳＴ１２）。上述したように、動作状態情報には移動体通信装置１００の識別番号と、移動体通信装置１００の公共無線通信部１０１が領域３００ａ内で要求される動作状態に関する情報が割り当てられていて、動作状態判断部１０４によって、自装置の識別番号に対応する動作状態が動作状態情報より取得される。
【００４２】
そして、動作状態が停止か否かの判定がされ（ＳＴ１３）、動作状態が停止の場合、無線通信制御部１０５によって公共無線通信部１０１はマナーモードに設定される（ＳＴ３１）。そして、さらに、無線通信制御部１０５によって、公共無線通信部１０１が振動または鳴動されて、使用者に公共無線通信部１０１がマナーモードへ設定されたとこが通知される（ＳＴ３２）。一方、動作状態が停止でない場合、さらに、動作状態が開始又は継続のいずれかであるかの判定がされ（ＳＴ１５）、動作状態が開始の場合、無線通信制御部１０５によって公共無線通信部１０１のマナーモードが解除される（ＳＴ３３）。そして、さらに、無線通信制御部１０５によって、公共無線通信部１０１が振動または鳴動されて、使用者に公共無線通信部１０１のマナーモードが解除されたことが通知される（ＳＴ３４）。なお、動作状態が継続の場合、現状のマナーモードの設定又は解除状態が維持される。
【００４３】
なお、上述したフロー図では、振動または鳴動させることでマナーモード設定または解除へ移行したことを使用者へ促すこととしたが、公共無線通信部１０１における送受信動作を使用者が切り替える機能を有する場合には、振動または鳴動させることで使用者に公共無線通信部１０１の送受信動作の停止または開始へ移行したことを促すことにしても良い。
【００４４】
これにより、ある特定の使用者に対して、移動体通信装置の動作状態が自動的に移行したことを使用者に通知することが可能となり、使用者が動作状態を復帰し忘れることを低減することが可能となる。
【００４５】
（実施の形態４）
本実施の形態４の移動体通信装置１００の構成は、無線通信制御部１０５の制御方法が異なることを除いて、上記実施の形態１で示した図２の移動体通信装置１００と同様である。
【００４６】
実施の形態の４の移動体通信装置１００の動作について、図７のフロー図を用いて説明する。なお、図４と共通のステップについては同一の符号を付している。
【００４７】
移動体通信装置１００の動作状態が公共無線通信網との送受信停止となっている状態で（ＳＴ４０）、移動体通信装置１００が、短距離通信装置３００が送信する電波の到達エリア内（３００ａ）に位置すると、短距離無線通信部１０２によって短距離通信装置３００から送信される動作状態情報が受信され（ＳＴ１１）、受信された動作状態情報は動作状態判断部１０４へ出力される。
【００４８】
そして、動作状態判断部１０４によって、動作状態情報と識別符号記憶部１０３に記憶される識別符号とから、公共無線通信部１０１の作動時間が判断される（ＳＴ４１）。作動時間は、移動体通信装置１００の公共無線通信部１０１が領域３００ａ内で公共無線通信網と送受信を行う時間で、動作状態情報には、移動体通信装置１００の識別番号と作動時間が対応付けられている。
【００４９】
そして、無線通信制御部１０５によって公共無線通信部１０１の動作状態が公共無線通信網との送受信停止から、公共無線通信網との送受信開始へ変更される（ＳＴ４２）。そして、さらに、無線通信制御部１０５によって、作動時間が経過したか否かの判定の判定が行われ（ＳＴ４３）、作動時間が経過した場合、無線通信制御部１０５によって、公共無線通信部１０１の動作状態が公共無線通信網との送受信停止へ変更される（ＳＴ４４）。
【００５０】
これにより、例えば、公共無線通信網との送受信を停止している場合であっても、緊急時など特定の移動体通信装置に対し公共無線通信網との送受信を可能することができる。なお、マナーモードに設定されている場合であっても、作動時間が経過するまで特定の移動体通信装置のみマナーモードを解除することで、緊急時において使用者との連絡をスムーズに取ることができる。
【００５１】
（実施の形態５）
本実施の形態５の移動体通信装置１００の構成は、無線通信制御部１０５の制御方法が異なることを除いて、上記実施の形態１で示した図２の移動体通信装置１００と同様である。
【００５２】
実施の形態の５の移動体通信装置１００の動作について、図８のフロー図を用いて説明する。なお、図４と共通のステップについては同一の符号を付している。
【００５３】
移動体通信装置１００の動作状態が送受信を行っている状態で（ＳＴ５０）、移動体通信装置１００が、短距離通信装置３００が送信する電波の到達エリア内（３００ａ）に位置すると、短距離無線通信部１０２によって短距離通信装置３００から送信される動作状態情報が受信され（ＳＴ１１）、受信された動作状態情報は動作状態判断部１０４へ出力される。
【００５４】
そして、動作状態判断部１０４によって、動作状態情報と識別符号記憶部１０３に記憶される識別符号とから、公共無線通信部１０１の停止時間が判断される（ＳＴ５１）。停止時間は、移動体通信装置１００の公共無線通信部１０１が領域３００ａ内で公共無線通信網との送受信を停止する時間で、動作状態情報には、移動体通信装置１００の識別番号と停止時間が対応付けられている。
【００５５】
そして、無線通信制御部１０５によって公共無線通信部１０１の動作状態が公共無線通信網との送受信継続から、公共無線通信網との送受信停止へ変更される（ＳＴ５２）。そして、さらに、無線通信制御部１０５によって、停止時間が経過したか否かの判定の判定が行われ（ＳＴ５３）、停止時間が経過した場合、無線通信制御部１０５によって、公共無線通信部１０１の動作状態が公共無線通信網との送受信開始へ変更される（ＳＴ５４）。
【００５６】
これにより、一定時間だけ公共無線通信網と送受信が行うことができないようにしたので、例えば緊急時など、公共無線通信網との送受信に制限を加えたい場合など、特定の移動体通信装置に対し公共無線通信網との送受信を停止し、また、一定期間経過後は使用者が意識することなく動作状態を復帰させることができる。なお、停止時間が経過するまで特定の移動体通信装置のみマナーモードに設定しても良く、この場合も、一定期間経過後は使用者が意識することなく動作状態を復帰させることができる。
【００５７】
（実施の形態６）
本実施の形態６の移動体通信装置１００の構成は、無線通信制御部１０５の制御方法が異なることを除いて、上記実施の形態１で示した図２の移動体通信装置１００と同様である。
【００５８】
実施の形態の６の移動体通信装置１００の動作について、図９のフロー図を用いて説明する。なお、図４と共通のステップについては同一の符号を付している。
【００５９】
移動体通信装置１００の動作状態が送受信の停止またはマナーモードの設定がされている状態で（ＳＴ６０）、移動体通信装置１００が、短距離通信装置３００が送信する電波の到達エリア内（３００ａ）に位置すると、短距離無線通信部１０２によって短距離通信装置３００から送信される動作状態情報が受信され（ＳＴ１１）、受信された動作状態情報は動作状態判断部１０４へ出力される。
【００６０】
そして、動作状態判断部１０４によって、動作状態情報と識別符号記憶部１０３に記憶される識別符号とから、短距離無線通信部１０２の受信動作周期が判断される（ＳＴ６１）。受信動作周期は、短距離無線通信部１０２において短距離無線通信網から送信される信号に対し受信処理を開始する時間間隔で、動作状態情報には、移動体通信装置１００の識別番号と受信周期時間が対応付けられている。
【００６１】
そして、受信周期時間ごとに無線通信制御部１０５によって短距離無線通信部１０２の動作状態が受信開始または受信停止へ変更される（ＳＴ６２）。
【００６２】
これにより、短距離無線通信部１０２は自動的に受信開始、受信停止を繰り返すため、短距離無線通信部１０２の受信動作時における電流消費を削減することが可能となり、この結果、移動体通信装置１００の待ち受け時間や通話時間を延長させることが可能となる。
【００６３】
本発明の第１の態様に係る移動体通信装置は、公共無線通信網と送受信を行う公共無線通信手段と、各移動体通信装置の識別符号に対応する動作状態情報を前記公共無線通信網とは別の短距離無線通信網から受信する短距離無線通信手段と、前記短距離無線通信手段で受信した動作状態情報のうち自装置の識別符号に対応する動作状態情報を抽出することで、前記公共無線通信手段が取るべき動作状態を判断する動作状態判断手段と、前記動作状態判断手段により判断された動作状態に応じて前記公共無線通信手段の動作状態を制御する無線通信制御手段と、を具備する構成を採る。
【００６４】
この構成によれば、例えば、病院や駅の改札、コンサートホール、空港の搭乗口など特定のエリアに短距離通信装置を設定した場合に、短距離無線通信網から送信される動作状態情報と自装置を識別するための識別符号とを用いて、公共無線通信手段の動作状態を自動的に変更するようにしたので、携帯電話に代表される移動体通信装置の使用者が意識することなく、公共無線通信網との動作状態を移動体通信装置ごとに適切な状態へ移行することができ、使用者が移動体通信装置の動作状態を制御し忘れることによる不適切な動作状態を回避することができる。
【００６５】
本発明の第２の態様に係る移動体通信装置は、上記第１の態様において、前記動作状態判断手段は、判断した動作状態を振動または呼動させることにより使用者へ通知し、前記無線通信制御手段は、使用者から許可があった場合に前記公共無線通信手段の動作状態を制御する構成を採る。
【００６６】
この構成によれば、振動または呼動により適切な動作状態への移行を使用者に促すようにしたので、使用者の意識に関わらず、使用者が移動体通信装置の動作状態を制御し忘れることによる不適切な動作状態を回避することができる。
【００６７】
本発明の第３の態様に係る移動体通信装置は、上記第１の態様において、前記無線通信制御手段は、振動または呼動させることにより前記動作状態判断手段により前記公共無線通信手段の動作状態が移行された旨を使用者へ通知する構成を採る。
【００６８】
この構成によれば、自動的に移行された動作状態を、振動または呼動により使用者に通知するようにしたので、使用者が現在の動作状態を確実に把握することができ、また、動作状態の復帰のし忘れを低減することができる。
【００６９】
本発明の第４の態様に係る移動体通信装置は、上記第１の態様において、前記動作状態判断手段は、前記公共無線通信手段の動作状態を一時的に移行させる移行時間を判断し、前記無線通信制御手段は、前記移行時間の期間だけ前記動作状態判断手段により判断された動作状態へ前記公共無線通信手段の動作状態を移行させる構成を採る。
【００７０】
この構成によれば、一時的に公共無線通信網との送受信を行ったり、一時的に公共無線通信網との送受信を停止したり、一時的にマナーモードを解除したり、一時的にマナーモード設定とすることができるようになる。この結果、例えば、公共無線通信網との送受信を停止している場合であっても、緊急時など特定の移動体通信装置に対し公共無線通信網との送受信を可能し、使用者との連絡をスムーズに取ることができ、また、一定期間経過後は使用者が意識することなく動作状態を復帰させることができる。
【００７１】
本発明の第５の態様に係る移動体通信装置は、上記第１の態様において、前記動作状態判断手段は、前記短距離無線通信手段が短距離無線通信網から送信される信号を受信する繰り返し周期時間を判断し、前記無線通信制御手段は、前記繰り返し周期時間に応じて、前記短距離無線通信手段の動作状態を移行する構成を採る。
【００７２】
この構成によれば、短距離無線通信網から送信される信号に対し受信処理を施す時間を周期的に制限するようにしたので、短距離無線通信部の受信処理時における電流消費を削減することができて、この結果、移動体通信装置の待ち受け時間や通話時間等を延長させることが可能となる。
【００７３】
本発明の第６の態様に係る移動体通信制御方法は、公共無線通信網と送受信を行う工程と、各移動体通信装置の識別符号に対応する動作状態情報を前記公共無線通信網とは別の短距離無線通信網から受信する工程と、前記短距離無線通信手段で受信した動作状態情報のうち自装置の識別符号に対応する動作状態情報を抽出することで、前記公共無線通信手段が取るべき動作状態を判断する工程と、前記動作状態判断手段により判断された動作状態に応じて前記公共無線通信手段の動作状態を制御する工程と、を有するようにした。
【００７４】
この方法によれば、例えば、病院や駅の改札、コンサートホール、空港の搭乗口など特定のエリアに短距離通信装置を設定した場合に、短距離無線通信網から送信される動作状態情報と自装置を識別するための識別符号とを用いて、公共無線通信手段の動作状態を自動的に変更するようにしたので、携帯電話に代表される移動体通信装置の使用者が意識することなく、公共無線通信網との動作状態を移動体通信装置ごとに適切な状態へ移行することができ、使用者が移動体通信装置の動作状態を制御し忘れることによる不適切な動作状態を回避することができる。
【００７５】
本発明の第７の態様に係る短距離通信装置は、公共無線通信網に比して比較的狭い範囲をカバーする短距離無線通信網用の短距離通信装置であって、前記短距離無線通信装置がカバーする領域内に位置する移動体通信装置を識別するために割り当てられた識別符号と、前記移動体通信装置の動作状態とを対応付けた動作状態情報を前記移動体通信装置へ送信する送信手段と、を具備する構成を採る。
【００７６】
この構成によれば、移動体通信装置を識別する識別符号と動作状態とを対応付けた動作状態情報を短距離通信装置がカバーする領域内に位置するすべての移動体通信装置へ送信するため、動作状態に関する情報をそれぞれの移動体通信装置へ個別に送信する必要がなく、周波数の利用効率の低減を防止することができる。
【００７７】
本発明の第８の態様に係る移動体通信システムは、公共無線通信網に比して比較的狭い範囲をカバーする短距離無線通信網用の短距離通信装置と、前記公共無線通信網と送受信を行いながら、前記短距離通信装置から送信される信号を受信する移動体通信装置と、を備える移動体通信システムであって、前記短距離通信装置は、前記移動体通信装置を識別するために割り当てられた識別符号と、前記移動体通信装置の動作状態とを対応付けた動作状態情報を前記移動体通信装置へ送信する送信手段、を具備し、前記移動体通信装置は、前記動作状態情報のうち自装置の識別符号に対応する動作状態情報を抽出することで、前記公共無線通信手段が取るべき動作状態を判断する動作状態判断手段と、前記動作状態判断手段により判断された動作状態に応じて前記公共無線通信手段の動作状態を制御する無線通信制御手段と、を具備する構成を採る。
【００７８】
この構成によれば、短距離通信装置が設定された領域に位置する移動体通信装置が取るべき動作状態に関する情報が、短距離通信装置からすべての移動体通信装置に報知され、これを受信した移動体通信装置は、自装置の識別符号に対応する動作状態を取得して、自装置の公共無線通信手段が取るべき動作状態を判断し、公共無線通信手段を制御するため、比較的簡易な構成で、短距離通信装置がカバーする領域に位置するすべての使用者が、移動体通信装置の動作状態を制御し忘れることによる不適切な動作状態を回避することができる。
【産業上の利用可能性】
【００７９】
本発明の移動体通信装置、移動体通信制御方法、短距離通信装置および移動体通信システムは、比較的簡易な構成で、使用者が移動体通信装置の動作状態を制御し忘れることによる不適切な動作状態を回避することができ、例えば、携帯電話などの移動体通信装置の動作状態を制御する移動体通信装置、移動体通信制御方法、短距離通信装置および移動体通信システムなどに有用である。
【図面の簡単な説明】
【００８０】
【図１】本発明の実施の形態に係る移動体通信システムの一例を示す図
【図２】本発明の実施の形態１に係る移動体通信装置の要部構成を示すブロック図
【図３】実施の形態１に係る短距離通信装置の要部構成を示すブロック図
【図４】実施の形態１に係る動作状態制御を示すフロー図
【図５】実施の形態２に係る動作状態制御を示すフロー図
【図６】実施の形態３に係る動作状態制御を示すフロー図
【図７】実施の形態４に係る動作状態制御を示すフロー図
【図８】実施の形態５に係る動作状態制御を示すフロー図
【図９】実施の形態６に係る動作状態制御を示すフロー図
【符号の説明】
【００８１】
１０１  公共無線通信部
１０２  短距離無線通信部
１０３  識別符号記憶部
１０４  動作状態判断部
１０５  無線通信制御部
３０１  無線通信部
３０２  動作状態設定部
３０３  動作状態情報生成部
【図１】
2007174241.tif 000003
【図２】
2007174241.tif 000004
【図３】
2007174241.tif 000005
【図４】
2007174241.tif 000006
【図５】
2007174241.tif 000007
【図６】
2007174241.tif 000008
【図７】
2007174241.tif 000009
【図８】
2007174241.tif 000010
【図９】
2007174241.tif 000011